(57)【要約】【課題】シャッタが動作を妨げられることなく、確実に吹き出し口への通路を塞ぐことができる。【解決手段】送風ファンから空気の吹き出し口１４へと向かう通風路上にシャッタ２０が設置されている。シャッタ２０は、下端部が回転可能に支持されており、回転駆動されることによって通風路上に形成された空気の通過口２ａを閉鎖する閉鎖位置と、通過口２ａを開放する開放位置とを取り得る。シャッタ２０の下端部には、ケーシング側の当接部２ｆと当接するシール材２４が設けられている。シール材２４は、シャッタ２０が開放位置から閉鎖位置へと移動する間は当接部２ｆから離れているが、シャッタ２０が閉鎖位置を取ると、当接部２ｆと当接する。【選択図】図８
2010078227.tif 000002
【特許請求の範囲】
【請求項１】
空気の吹き出し口へ連通した空気の通過口を有するケーシングと、
端部が前記ケーシングに回転可能に支持されており、前記通過口を閉鎖した閉鎖位置と前記通過口を開放した開放位置とを取り得るシャッタと、
前記ケーシングの前記通過口周辺部及び前記シャッタの前記端部の少なくとも一方に配置されており、前記シャッタが前記開放位置と前記閉鎖位置との間で移動しているときは他方に当接せず且つ前記シャッタが前記閉鎖位置にあるときは他方に当接するシール部と、
前記シャッタを駆動して前記開放位置と前記閉鎖位置とを切り換えるシャッタ駆動手段とを備えていることを特徴とする空気調和機。
【請求項２】
前記シャッタが前記閉鎖位置にあるときに、前記シール部が前記ケーシングの前記通過口周辺部及び前記シャッタの前記端部の他方から離れる方向に移動するのを規制する規制部をさらに備えていることを特徴とする請求項１に記載の空気調和機。
【請求項３】
前記シャッタがその回転軸に沿った長尺な形状を有し、
前記規制部が前記シャッタの長尺方向の中央付近に配置されていることを特徴とする請求項２に記載の空気調和機。
【請求項４】
前記シャッタには第１の爪部が形成されていると共に、
前記ケーシングの前記通過口周辺部には前記第１の爪部と噛み合う第２の爪部が形成されており、
前記シャッタは、前記第１の爪部と前記第２の爪部とが噛み合いつつ前記ケーシングに対して回転することを特徴とする請求項２又は３に記載の空気調和機。
【請求項５】
前記シャッタが前記開放位置にあるときに、前記シャッタの表面が前記通過口に向かって流出するように空気の流れる方向を変えるガイド面を形成することを特徴とする請求項１〜４のいずれか１項に記載の空気調和機。
【請求項６】
前記シャッタが前記開放位置にあるときに、前記シャッタの表面と前記ケーシングにおいて空気流路を構成する内壁面とが実質的に面一となることを特徴とする請求項５に記載の空気調和機。
【発明の詳細な説明】
【技術分野】
【０００１】
本発明は、空気調和機、特に、空気の吹き出し口へ連通した空気の通過口がケーシングに設けられた空気調和機に関する。
【背景技術】
【０００２】
従来、吹き出し口から空気を吹き出す種々の空気調和機が提案されている。例えば、特許文献１はその一例である。
【０００３】
特許文献１の空気調和機には、吹き出し口へと連通する吹き出し通路が設けられている。この吹き出し通路には、通路を遮断するシャッタが設けられている。シャッタは、下端部において回転可能に支持されており、通路を遮断した閉鎖状態と通路を開放した開放状態とを取ることができる。そして、吹き出し口から空気を吹き出す場合には、シャッタを開放状態に保持すると共に、この吹き出し口から空気を吹き出さない場合には、シャッタを閉鎖状態に保持する。
【０００４】
【特許文献１】特開２００７−１８３０１０号公報（図４）
【発明の開示】
【発明が解決しようとする課題】
【０００５】
特許文献１では、シャッタの下端部とケーシングとの間に隙間が生じ、シャッタが閉鎖状態にあるときに、吹き出し通路を確実には遮断できないおそれがあった。
【０００６】
そこで、本発明の発明者は、シャッタの下端部とケーシングとの間にシール材を設置し、このシール材によってシャッタの下端部とケーシングとの隙間を常に閉塞することを考えた。
【０００７】
しかし、上記のシール材によると、シャッタが動作しているときにもシャッタの下端部とシール材とが接触するため、シャッタが動作を妨げられたり、シャッタの下端部とシール材とが擦れることによって異音が発生したりするおそれがある。
【０００８】
本発明の目的は、シャッタが動作を妨げられることなく確実に吹き出し口への通路を塞ぐことができる空気調和機を提供することにある。
【課題を解決するための手段】
【０００９】
本発明に係る第１の発明の空気調和機は、空気の吹き出し口へ連通した空気の通過口を有するケーシングと、端部が前記ケーシングに回転可能に支持されており、前記通過口を閉鎖した閉鎖位置と前記通過口を開放した開放位置とを取り得るシャッタと、前記ケーシングの前記通過口周辺部及び前記シャッタの前記端部の少なくとも一方に配置されており、前記シャッタが前記開放位置と前記閉鎖位置との間で移動しているときは他方に当接せず且つ前記シャッタが前記閉鎖位置にあるときは他方に当接するシール部と、前記シャッタを駆動して前記開放位置と前記閉鎖位置とを切り換えるシャッタ駆動手段とを備えていることを特徴とする。
【００１０】
この空気調和機では、シャッタが開放位置と閉鎖位置との間で移動しているときには、シール部がケーシング又はシャッタと当接しないので、シャッタの回転移動がシール部によって妨げられない。また、シャッタが閉鎖位置にあるときには、シール部がケーシング又はシャッタと当接するので、空気の通過口を確実に閉鎖できる。
【００１１】
第２の発明の空気調和機は、第１の発明に係る空気調和機であって、前記シャッタが前記閉鎖位置にあるときに、前記シール部が前記ケーシングの前記通過口周辺部及び前記シャッタの前記端部の他方から離れる方向に移動するのを規制する規制部をさらに備えていることを特徴とする。
【００１２】
シャッタが撓んだりしてシール部がケーシング又はシャッタから離隔すると、空気の通過口が閉鎖された状態を保持できなくなる。一方、上記の空気調和機では、シール部がケーシング又はシャッタから離隔するのを規制部が規制するので、通過口が閉鎖された状態を保持することができる。
【００１３】
第３の発明の空気調和機は、第２の発明に係る空気調和機であって、前記シャッタがその回転軸に沿った長尺な形状を有し、前記規制部が前記シャッタの長尺方向の中央付近に配置されていることを特徴とする。
【００１４】
シャッタが長尺だとシャッタが撓んだ際に中央付近において撓み量が大きくなりやすい。一方、上記の空気調和機では、長尺方向に中央付近に規制部を配置することで、シール部がシャッタの撓みによってケーシング又はシャッタから離隔するのを、効果的に抑制できる。
【００１５】
第４の発明の空気調和機は、第２又は第３の発明に係る空気調和機であって、前記シャッタには第１の爪部が形成されていると共に、前記ケーシングの前記通過口周辺部には前記第１の爪部と噛み合う第２の爪部が形成されており、前記シャッタは、前記第１の爪部と前記第２の爪部とが噛み合いつつ前記ケーシングに対して回転することを特徴とする。
【００１６】
この空気調和機では、第１の爪部と第２の爪部とが噛み合いながらシャッタが回転するので、シャッタが撓んだりしてシール部がケーシング又はシャッタから離隔するのを抑制できる。
【００１７】
第５の発明の空気調和機は、第１〜第４のいずれかの発明に係る空気調和機であって、前記シャッタが前記開放位置にあるときに、前記シャッタの表面が前記通過口に向かって流出するように空気の流れる方向を変えるガイド面を形成することを特徴とする。
【００１８】
この空気調和機では、シャッタが開放位置にあるときに、シャッタの表面によって空気がガイドされ、通過口に向かって円滑に流れる。
【００１９】
第６の発明の空気調和機は、第５の発明に係る空気調和機であって、前記シャッタが前記開放位置にあるときに、前記シャッタの表面と前記ケーシングにおいて空気流路を構成する内壁面とが実質的に面一となることを特徴とする。
【００２０】
この空気調和機では、シャッタの表面と空気流路の内壁面とが面一となるので、空気流路の通風抵抗を小さくできる。
【発明の効果】
【００２１】
以上の説明に述べたように、本発明によれば、以下の効果が得られる。
【００２２】
第１の発明では、シャッタが開放位置と閉鎖位置との間で移動しているときには、シール部がケーシング又はシャッタと当接しないので、シャッタの回転移動がシール部によって妨げられない。また、シャッタが閉鎖位置にあるときには、シール部がケーシング又はシャッタと当接するので、空気の通過口を確実に閉鎖できる。
【００２３】
第２の発明では、シール部がケーシング又はシャッタから離隔するのを規制部が規制するので、通過口が閉鎖された状態を保持することができる。
【００２４】
第３の発明では、長尺方向に中央付近に規制部を配置することで、シール部がシャッタの撓みによってケーシング又はシャッタから離隔するのを、効果的に抑制できる。
【００２５】
第４の発明では、第１の爪部と第２の爪部とが噛み合いながらシャッタが回転するので、シャッタが撓んだりしてシール部がケーシング又はシャッタから離隔するのを抑制できる。
【００２６】
第５の発明では、シャッタが開放位置にあるときに、シャッタの表面によって空気がガイドされ、通過口に向かって円滑に流れる。
【００２７】
第６の発明では、シャッタの表面と空気流路の内壁面とが面一となるので、空気流路の通風抵抗を小さくできる。
【発明を実施するための最良の形態】
【００２８】
以下、本発明に係る空気調和機の実施の形態について、図面を参照しつつ説明する。
【００２９】
図１は、空気調和機１の正面図である。図２は、図１のＩＩ―ＩＩ線断面図である。空気調和機１は、床置き型の室内機であり、屋内の床上に据え置かれた状態で使用される。空気調和機１は、冷媒を供給する室外機と接続される。
【００３０】
空気調和機１は、ケーシング２と前面パネル３とを有している。ケーシング２及び前面パネル３は、空気調和機１の筐体を構成しており、その筐体内には熱交換器４及び送風ファン５などが配置されている。前面パネル３には空気の取り入れ口３ａ及び３ｂが形成されている。取り入れ口３ａは前面パネル３の上部に、取り入れ口３ｂは前面パネル３の下部に配置されている。空気調和機１内には、図２の矢印Ａ及びＢに示すように、取り入れ口３ａ及び３ｂを介して空気が取り入れられる。取り入れ口３ａ及び３ｂは、いずれも、図１の左右方向に沿って長尺に形成されている。取り入れ口３ａには複数の桟部材３１が設けられている。これらの桟部材３１は上下方向に配列されている。桟部材３１は、図１において取り入れ口３ａの左右方向の幅いっぱいに延びている。
【００３１】
図３（ａ）は、図２の取り入れ口３ａ周辺の拡大図である。桟部材３１は、取り入れ口３ａの前方側の開口付近から後方側の開口を越えて、後方側の開口より若干後方の位置まで延びている。桟部材３１の前部３１ａと後部３１ｂとは高さが異なっており、後部３１ｂが前部３１ａより上方に配置されている。これにより、前部３１ａ及び後部３１ｂの間に段差が形成されている。前部３１ａ及び後部３１ｂは、いずれも長方形の断面形状を有しており、水平方向に沿って延びている。桟部材３１において前部３１ａと後部３１ｂとの間の段差部分は、クランク状に形成されている。
【００３２】
このように、桟部材３１が前部３１ａと後部３１ｂとから構成され、後部３１ｂが前部３１ａより上方に配置されていることにより、図３（ａ）の視線Ｆに示すような上方からの視線が前面パネル３の後方まで届きにくい。これにより、空気調和機１の内部構成が外部から見えにくくなっている。
【００３３】
ところで、このように上方からの視線が空気調和機１内に届きにくくした桟部材としては、図３（ｅ）のように後方に向かって上方へと斜めに傾斜した桟部材９３１を使用することも考えられる。しかし、桟部材９３１のように後方に向かって斜め上方に沿っている場合には、前面パネル３の前方から取り入れ口３ａを通って空気調和機１の内部へと空気が取り込まれる際、空気の流れが桟部材９３１によって上方へと乱されることになる。
【００３４】
これに対して、桟部材３１では、前部３１ａ及び後部３１ｂのいずれも水平方向に沿っている。したがって、図２の矢印Ａに示すように、取り入れ口３ａを通じて空気が水平に空気調和機１内に流入しやすい。これにより、取り入れ口３ａから円滑に空気が取り入れられる。
【００３５】
なお、図３（ｂ）〜図３（ｄ）は、桟部材３１の代わりに空気調和機１に採用可能な桟部材１３１〜３３１を示している。桟部材１３１は、桟部材３１と比べて、前部１３１ａが長く且つ後部１３１ｂが短く構成されている。桟部材２３１は、前部２３１ａ及び後部２３１ｂを有している。そして、桟部材２３１において前部２３１ａと後部２３１ｂとの間の段差部分は斜めに傾斜している。このように、桟部材が一部傾斜した面を有していてもよい。また、桟部材３３１も、前部３３１ａ及び後部３３１ｂの間が斜めに傾斜している。しかし、桟部材３３１においては、桟部材２３１に比べて、前部３３１ａが長く且つ後部３３１ｂが短く構成されている。
【００３６】
桟部材１３１〜３３１においても桟部材３１と同様に、各桟部材において後部が前部より上方に配置され、後部の後端が前面パネル３の後方に配置されているので、上方からの視線が空気調和機１の内部に到達するのを防止できる。また、各桟部材において前部や後部が水平に沿っているので、取り入れ口３ａを通じて空気が円滑に空気調和機１内に流入する。
【００３７】
空気調和機１の内部において前面パネル３の後方には、図２に示すように熱交換器４が配置されている。熱交換器４には、室外機からの冷媒が供給される。取り入れ口３ａ及び３ｂから取り入れられた空気は、熱交換器４を通過する際に冷媒との間で熱が交換され、冷やされたり暖められたりする。
【００３８】
熱交換器４の後方には、送風ファン５が配置されている。送風ファン５は、ファンモータ６と、ファンモータ６の駆動軸に支持されたファンロータ７と、ファンロータ７に固定された複数枚の羽根８とを有している。ケーシング２の上部には、空気の吹き出し口である上部吹き出し口１５が形成されている。ケーシング２内には、送風ファン５から上部吹き出し口１５へと向かう通風路１０が形成されている。上部吹き出し口１５には、上部吹き出し口１５を開放した位置と閉鎖した位置とを選択的に取るフラップ１１が設けられている。
【００３９】
ケーシング２の下部には、空気の吹き出し口である下部吹き出し口１４が形成されている。下部吹き出し口１４は、前面パネル３の下方に配置されている。また、ケーシング２内には、送風ファン５から下部吹き出し口１４へと向かう通風路が形成されている。この通風路は、ケーシング２の内壁面に沿った通風路１２ａ及び１２ｂを有している。通風路１２ａは、送風ファン５から、空気が通過する通過口である通過口２ａに向かって前方且つ下方に向かって湾曲しつつ延びている。通風路１２ｂは、通過口２ａから下部吹き出し口１４へと、前方に向かって延びている。
【００４０】
通風路１２ａと通風路１２ｂとの間には、通過口２ａを閉鎖した位置と通過口２ａを開放した位置とを取るシャッタ２０が設けられている。シャッタ２０が開放位置にあるときには、図２において二点鎖線で囲む領域に示すように、シャッタ２０の表面と通風路１２ａ及び１２ｂの壁面とが実質的に面一となっている。これにより、通風路１２ａ及び１２ｂの壁面とシャッタ２０の表面との境界で段差が形成されることがなく、空気が通過する際の通風抵抗が小さくなっている。通風路１２ｂにおいて下部吹き出し口１４の近傍には、風向きを調整する風向調整板１３が配置されている。
【００４１】
送風ファン５においてファンモータ６が作動すると、ファンロータ７が回転し、ファンロータ７に固定された羽根８が気流を発生させる。このとき発生した気流に起因して、矢印Ａ及びＢに示すように、取り入れ口３ａ及び３ｂから空気が流入し、熱交換器４を通過して送風ファン５へと向かう。送風ファン５からは、矢印Ｃに示すように、通風路１０を通じて上方へと向かう気流が発生する。フラップ１１が開放位置にあるときには、送風ファン５から送り出された空気が上部吹き出し口１５から外部へと吹き出される。また、送風ファン５からは、矢印Ｄに示すように、通風路１２ａを通じて前方且つ下方へと向かう気流が発生する。シャッタ２０が開放位置にあるときには、送風ファン５から送り出された空気が、風向調整板１３によって風向きを調整されて、下部吹き出し口１４から吹き出される。
【００４２】
以下、シャッタ２０周辺の構成についてより詳細に説明する。図４（ａ）は、シャッタ２０の周辺を斜め後方から見た図である。図４（ｂ）は、図４（ａ）において、シャッタ２０をケーシング２から取り外した状態の図である。図５及び図６は、図４（ａ）のＶ−Ｖ線断面図及びＶＩ−ＶＩ線断面図である。
【００４３】
シャッタ２０は、図４（ａ）及び図４（ｂ）に示すように一方向に長尺に構成されている。シャッタ２０の長尺方向に関する一端には、ケーシング２への取り付け部となる軸受け部２１が設けられ、他端には突起２２が形成されている。軸受け部２１及び突起２２は、いずれも、シャッタ２０の短尺方向に関して端部に配置されている。一方、ケーシング２の側壁において、通過口２ａの下部付近には、シャッタ駆動モータ４１（シャッタ駆動手段）とその駆動軸４１ａとが配置されている。シャッタ２０の軸受け部２１は、シャッタ駆動モータ４１の駆動軸４１ａに嵌め込まれており、駆動軸４１ａが回転するとこれに従動して回転する。シャッタ２０の突起２２は、ケーシング２に形成された突起受け部２ｃに支持されている。
【００４４】
シャッタ駆動モータ４１は、シャッタ２０の短尺方向に関する端部に沿った回転軸Ｈを中心に、シャッタ２０を図４（ａ）の矢印Ｇに沿って回転駆動する。これにより、シャッタ２０は、図５及び図６に示す開放位置から図７及び図８に示す閉鎖位置へと移動したり、図７及び図８の位置から図５及び図６の位置へと移動したりする。なお、本実施形態において「シャッタ２０の端部」とは、シャッタ２０において短尺方向に関する端部であって、回転軸Ｈの周辺部分を示すものとする。
【００４５】
シャッタ２０の端部には、爪部２３（第１の爪部）が形成されている。爪部２３は、シャッタ２０の長尺方向に関して中央に配置されている。爪部２３は、図５に示すようにシャッタ２０が開放位置にある状態で、上方に向かって湾曲している。一方、ケーシング２側には、爪部２３と噛み合う爪部２ｂ（第２の爪部）が形成されている。爪部２ｂは、図５等に示すように上方に向かって突出しており、上面から前面にかけて爪部２３の表面に沿うように湾曲している。
【００４６】
爪部２３は、爪部２ｂの上方から当接しており、爪部２ｂの上面及び前面に沿って摺動可能なように爪部２ｂと噛み合っている。シャッタ２０が図５のように開放位置にあるときは、爪部２３と爪部２ｂとは噛み合いが浅く、爪部２３が上方へと移動するのを爪部２ｂが妨げないような位置関係を取っている。シャッタ２０が図７や図８の閉鎖位置に向かって移動すると、爪部２３は爪部２ｂの上面から前面へと摺動する。これにより、爪部２３と爪部２ｂとが深く噛み合う。
【００４７】
シャッタ２０は、以下の手順でケーシング２に組み付けられている。まず、図４（ｂ）の矢印Ｉに示すように、シャッタ２０側の軸受け部２１をケーシング２側の駆動軸４１ａに嵌め込む。そして、矢印Ｊに示すように爪部２３を爪部２ｂと噛み合わせつつ、矢印Ｋに示すように突起２２を突起受け２ｃに嵌め込む。ここで、図４（ｂ）に示すようにシャッタ２０を開放位置を取るような状態に保ちつつ爪部２３を上方から爪部２ｂと噛み合わせることにより、これらを容易に噛み合わせることができる。上記のように、シャッタ２０が開放状態にあるときは、爪部２３と爪部２ｂとは噛み合いが浅く、爪部２３が上方へと移動するのを爪部２ｂが妨げないような位置関係を取っており、逆に言えば、爪部２３を上方から爪部２ｂに噛み合わせやすいからである。
【００４８】
シャッタ２０は、シャッタパネル２９と、シャッタパネル２９に貼り付けられた断熱材２７及び２８と、断熱材２７の四方を囲むようにシャッタパネル２９の端部に沿って貼り付けられたシール材２４〜２６とを有している。
【００４９】
シャッタパネル２９は、図５等に示すように、シャッタ２０の短尺な方向に関して若干湾曲した板状の部材である。シール材２４〜２６と断熱材２７とは、シャッタ２０が図４〜図６に示す開放位置を取っている状態におけるシャッタ２０の上面に貼り付けられている。断熱材２８は、シャッタパネル２９において断熱材２７とは反対側の表面に貼り付けられている。シール材２４及び２５は、シャッタパネル２９の短尺方向に関する一端及び他端に、シャッタパネル２９の長尺方向に沿って貼り付けられいる。シール材２６は、シャッタパネル２９の長尺方向に関する両端に、シャッタパネル２９の短尺方向に沿って貼り付けられている。
【００５０】
シール材２４〜２６の表面と断熱材２７の表面とは滑らかに連続しており、シャッタパネル２９に沿って湾曲している。したがって、シャッタ２０が開放位置にあるときに、送風ファン５から通風路１２ａの内壁面に沿ってシャッタ２０まで到達した空気は、そこからさらに、シャッタ２０の表面に沿って円滑に方向を変えつつ通過口２ａに向かって流れる。このように、シャッタ２０の表面は、通過口２ａに向かうように空気の流れを変えるガイド面を形成している。
【００５１】
なお、シール材２４〜２６と断熱材２７及び２８は、いずれも、ポリエチレンやゴムなどの発泡性の樹脂材料から形成されていてもよい。この場合、シール材２４〜２６の発泡倍率は、断熱材２７及び２８の発泡倍率より高くなっており、密着性が高くなっていることが好ましい。
【００５２】
一方、通過口２ａの周囲には、図４〜図８に示すように、シャッタ２０が閉鎖位置を取ったときにシール材２５及び２６とそれぞれ当接する当接面２ｄ及び２ｅが形成されている。また、通過口２ａの下部付近には、シール材２４と当接する当接部２ｆが形成されている。
【００５３】
シャッタ２０が開放位置にあるときには、シール材２４〜２６は、当接面２ｄ及び２ｅ並びに当接部２ｆから離隔している。シャッタ２０が開放位置から閉鎖位置へと移動するにつれて、シール材２４〜２６が当接面２ｄ及び２ｅ並びに当接部２ｆに近づく。そして、シャッタ２０が閉鎖位置を取ると同時に、シール材２４〜２６が当接面２ｄ及び２ｅ並びに当接部２ｆに当接する。このように、シャッタ２０が閉鎖位置を取ったときに、シール材２４〜２６が当接面２ｄ及び２ｅ並びに当接部２ｆと密着することにより、シャッタ２０とケーシング２との間に隙間が生じることなく、通過口２ａが完全に閉鎖される。
【００５４】
ところで、シャッタ２０が通過口２ａを確実に閉鎖するためには、図９に示すように、シャッタ２０の端部とケーシング２との間を常に塞ぐシール材９２４を充填することも考えられる。しかし、シール材９２４は、シャッタ２０の端部（爪部２３）と常に接触しているため、シャッタ２０が閉鎖位置へと移動する際にその移動を妨げたり、シャッタ２０とシール材９２４とが摺れることによって異音が発生したりする。さらに、シャッタ２０とシール材９２４とが摺れることによってシール材９２４が破損するおそれもある。
【００５５】
これに対して本実施形態では、上記の通り、シャッタ２０が開放位置から閉鎖位置に移動する間はシール材２４が当接部２ｆから離隔している。このため、シャッタ２０の移動が妨げられたり、異音が発生したりすることがない。また、シール材２４の破損を防ぐことができる。
【００５６】
また、シャッタ２０が自重で撓むことによって、シャッタ２０の下端部が図７の破線矢印のように移動すると、シール材２４が当接部２ｆから離れるおそれがある。これに対して、本実施形態においては、シャッタ２０が閉鎖位置にあるときは、図７に示すように爪部２３と爪部２ｂとが深く噛み合い、爪部２３が右方へと移動するのを爪部２ｂが規制している。これにより、シャッタ２０の下端部が図７の破線矢印の方向に移動するのが抑制され、シャッタ２０が通過口２ａを閉鎖した状態が確保される。このように、爪部２３及び爪部２ｂは、シール材２４が当接部２ｆから離れる方向に移動するのを規制する規制部として機能する。
【００５７】
また、シャッタ２０は図４に示すように一方向に長尺に形成されているため、シャッタ２０が撓んだ際には長尺方向の中央付近が特に大きく変形する。したがって、シャッタ２０において長尺方向の中央付近は、撓みによってシール材２４が当接部２ｆから離隔しやすい。これに対し、本実施形態では、爪部２３がシャッタ２０の長尺方向に中心付近に配置されているので、シール材２４が当接部２ｆから離隔するのを有効に抑制している。
【００５８】
さらに、本実施形態では、断熱材２７及び２８が設けられ、シャッタ２０が閉鎖位置にあるときに空気調和機１の内側に相当する表面と外側に相当する表面との両方に貼り付けられている。したがって、シャッタ２０の片側の表面に断熱材が設けられている場合と比べて、シャッタ２０を境にして空気調和機１の内側の空間と外側の空間との断熱性が向上している。このため、本実施形態は、シャッタ２０が閉鎖位置にあるときに、シール材２４によってシール性が向上していると共に、断熱材２７及び２８によって断熱性も向上している。
【００５９】
また、本実施形態では、シャッタ２０の回転軸Ｈが通過口２ａの下部付近に配置されており、シャッタ２０がこの回転軸Ｈを中心に回転することで通過口２ａを開放したり閉鎖したりする。つまり、シャッタ２０は上開きの構成を有している。そして、シャッタ２０が閉鎖位置にあるときには、シール材２５が通過口２ａの上方に配置された当接面２ｄに当接する。
【００６０】
一方、シャッタ２０の回転軸が通過口２ａの上部に配置されている、つまり、シャッタ２０が下開きの構成を有していてもよい。ただし、この場合には、シャッタ２０が当接する当接面２ｄのような面が通過口２ａの下方に配置されている必要がある。このような構成の場合、通風路１２ａの延長上に当接面２ｄのような段差面が形成されることになり、シャッタ２０が開放位置にあるときの通風抵抗が増すことになる。
【００６１】
これに対して本実施形態は、シャッタ２０が上記の通り上開きに構成されている。これにより、当接面２ｄのような段差が通風路上に配置されることがなく、当接面２ｄによって通風路の通風抵抗が増すことが回避されている。
【００６２】
＜その他の変形例＞
以上は、本発明の好適な実施形態についての説明であるが、本発明は上述の実施形態に限られるものではなく、課題を解決するための手段に記載された範囲の限りにおいて様々な変更が可能なものである。
【００６３】
例えば、上述の実施形態では、シール部となるシール材２４がシャッタ２０側に設けられているが、シール部となるシール材はシャッタ２０側に設けられていても、ケーシング２側に設けられていてもよい。あるいは、両側に設けられていてもよい。
【００６４】
例えば、図１０は、上述の実施形態の変形例である、シャッタ１２０とその周辺の構成を示している。シャッタ１２０は、上述のシャッタ２０の代わりに本発明に採用できるものである。図１０（ａ）はシャッタ１２０が開放位置にある状態を、図１０（ｂ）はシャッタ１２０が閉鎖位置にある状態を示している。シャッタ１２０は、シャッタパネル２９と、シャッタパネル２９に貼り付けられた断熱材１２７及び１２８を有している。また、断熱材１２７の端部には、断熱材１２７の表面から突出するように、シール部１２４が固定されている。通過口２ａ付近には、シール部１２５が固定されている。シール部１２５は、シャッタ１２０が開放位置から閉鎖位置へと移動している間にはシール部１２４から離隔しており、シャッタ１２０が閉鎖位置になるとシール部１２４と当接するように配置されている。
【００６５】
この変形例のように、シャッタ１２０側とケーシング２側との両方にシール部が設けられており、シャッタ１２０が閉鎖位置になったときにこれらのシール部が互いに当接するように構成されていてもよい。
【００６６】
また、上述の実施形態では、シャッタ２０が下部吹き出し口１４へと向かう通風路上に
設置されている場合を想定しているが、空気の通過口を密閉する必要があれば、シャッタ２０のような構成を有するシャッタがどのような通風路上に配置されてもよい。例えば、上部吹き出し口１５に向かう通風路１０の途中に形成された通過口を密閉する必要があれば、シャッタ２０が通風路１０に設置されていてもよい。また、上述の実施形態では、室内機である空気調和機１に採用されているが、室外機に設けられてもよいし、その他の構成の空気調和機に採用されてもよい。
【００６７】
また、上述の実施形態では、爪部２３と爪部２ｂとが噛み合うことにより、シール材２４が当接部２ｆから離隔するのを規制している。しかし、シャッタ２０が閉鎖位置にあるときにシール材２４が当接部２ｆから離隔しようとするのを防止するような規制部であれば、どのような構成であってもよい。例えば、シャッタ２０が撓みによって湾曲するのを引き戻したり押し返したりするようにシャッタ２０に当接する規制部であればよい。
【００６８】
また、上述の実施形態では、爪部２３及び爪部２ｂの組み合わせが一つのみ設けられているが、この組み合わせが複数設けられていてもよい。例えば、複数の爪部が回転軸Ｈに沿って配列されていてもよい。また、爪部は、シャッタ２０の長尺方向に中央付近に配置されていることが好ましいが、それ以外の位置に配置されていてもよい。
【産業上の利用可能性】
【００６９】
本発明を利用すれば、シャッタが動作を妨げられることなく確実に吹き出し口への通路を塞ぐことができる。
【図面の簡単な説明】
【００７０】
【図１】本発明の一実施形態に係る空気調和機の正面図である。
【図２】図１のＩＩ−ＩＩ線断面図である。
【図３】図３（ａ）〜図３（ｄ）は、図２の空気の取り入れ口付近の構成として採用され得る構成を示す図である。図３（ｅ）は、図２の空気の取り入れ口付近の構成の参考例である。
【図４】図４（ａ）は、シャッタの周辺を斜め後方から見た図である。図４（ｂ）は、図４（ａ）において、シャッタをケーシングから取り外した状態の図である。
【図５】図４（ａ）のＶ−Ｖ線断面図である。
【図６】図４（ａ）のＶＩ−ＶＩ線断面図である。
【図７】シャッタが閉鎖位置にあるときの図５に相当する図である。
【図８】シャッタが閉鎖位置にあるときの図６に相当する図である。
【図９】本発明の参考例である。
【図１０】図１〜図８に示す実施形態の変形例に係る、図６及び図８に相当する図である。
【符号の説明】
【００７１】
１        空気調和機
２        ケーシング
２ａ      通過口
２ｂ、２３  爪部
２ｆ      当接部
４        熱交換器
５        送風ファン
１０、１２ａ、１２ｂ  通風路
２０      シャッタ
２３      爪部
２４-２６  シール材
４１      シャッタ駆動モータ
１２０    シャッタ
１２４、１２５  シール部
【図１】
2010078227.tif 000003
【図２】
2010078227.tif 000004
【図３】
2010078227.tif 000005
【図４】
2010078227.tif 000006
【図５】
2010078227.tif 000007
【図６】
2010078227.tif 000008
【図７】
2010078227.tif 000009
【図８】
2010078227.tif 000010
【図９】
2010078227.tif 000011
【図１０】
2010078227.tif 000012